(57)【要約】【課題】ユーザが操作しなくても、所定の曲を放送しているラジオ放送を音声出力させるための操作が不要な技術を提供することを目的とする。【解決手段】車載端末１は、ラジオ局の放送と、ラジオ局から放送されている曲を識別するための識別情報とを受信する受信部１２と、所定の曲を識別するための所定の識別情報を登録する記憶部１３とを備える。また、車載端末１は、受信部１２で受信した識別情報と、記憶部１３に登録された所定の識別情報とが一致した場合に、ラジオ局の放送を、スピーカー７に音声出力させる制御部１７を備える。【選択図】図２
2014057288.tif 000002
【特許請求の範囲】
【請求項１】
車両に搭載された車載端末であって、
ラジオ局の放送と、ラジオ局から放送されている曲を識別するための識別情報とを受信する受信部と、
所定の曲を識別するための所定の識別情報を登録する記憶部と、
前記受信部で受信した前記識別情報と、前記記憶部に登録された前記所定の識別情報とが一致した場合に、前記ラジオ局の放送を、前記車両に搭載された音声出力部に音声出力させる制御部と
を備える、車載端末。
【請求項２】
請求項１に記載の車載端末であって、
前記受信部は、前記ラジオ局の番組情報をさらに受信し、
前記制御部は、
前記受信部で受信した前記識別情報と、前記記憶部に登録された前記所定の識別情報とが一致する場合に、前記受信部で受信した前記識別情報及び前記番組情報の少なくともいずれか１つの情報を、表示の設定内容に応じて、前記車両に搭載された表示部に表示させる、車載端末。
【請求項３】
請求項２に記載の車載端末であって、
前記表示の設定内容は、
前記表示部における前記識別情報及び前記番組情報のそれぞれについての表示の有無、及び、その表示のサイズを含む、車載端末。
【請求項４】
請求項１乃至請求項３のいずれかに記載の車載端末であって、
前記制御部は、
前記受信部で受信した前記識別情報と、前記記憶部に登録された前記所定の識別情報とが一致する場合に、前記ラジオ局から放送されている曲を前記記憶部に記憶する、車載端末。
【請求項５】
請求項４に記載の車載端末であって、
前記受信部は、
前記ラジオ局から放送されている曲の所定部分を特定する部分情報を受信し、
前記制御部は、
前記ラジオ局から放送されている曲を前記記憶部に記憶する場合に、当該曲の前記部分情報で特定される所定部分も個別に前記記憶部に記憶する、車載端末。
【請求項６】
請求項５に記載の車載端末であって、
入力部をさらに備え、
前記制御部は、
前記音声出力部が前記記憶部に記憶された前記曲の所定部分を音声出力している間に、前記入力部にて当該曲に対する所定操作を受け付けた場合に、当該所定操作が行われた曲を前記記憶部から取得し、当該取得した曲を前記音声出力部に音声出力させる、車載端末。
【請求項７】
請求項１乃至請求項６のいずれかに記載の車載端末であって、
前記識別情報は、前記ラジオ局で放送されている曲のアーティスト名及び曲名の少なくともいずれか１つを含み、
前記所定の識別情報は、前記所定の曲のアーティスト名及び曲名の少なくともいずれか１つを含む、車載端末。
【発明の詳細な説明】
【技術分野】
【０００１】
本発明は、車両に搭載された車載端末に関し、特にラジオ局の放送を音声出力することが可能な車載端末に関するものである。
【背景技術】
【０００２】
自動車などの車両に搭載される車載端末に関して、様々な機能が提案されている。例えば、特許文献１には、車載端末に曲名が予め登録されており、その曲名の曲がラジオ局から放送されている場合に、当該ラジオ局の局名を表示する車載端末が開示されている。
【先行技術文献】
【特許文献】
【０００３】
【特許文献１】特開２０１０−０１４５４２号公報
【発明の概要】
【発明が解決しようとする課題】
【０００４】
しかしながら、上述のような車載端末にて登録された曲名の曲を聞くためには、運転者などのユーザが、ラジオ局名の表示を確認した上で、そのラジオ局の放送を音声出力させるための操作を車載端末に対して行う必要があった。そのため、ユーザの運転に対する注意が損なわれるという問題があった。
【０００５】
そこで、本発明は、上記のような問題点を鑑みてなされたものであり、所定の曲を放送しているラジオ局の放送を音声出力させるための操作が不要な技術を提供することを目的とする。
【課題を解決するための手段】
【０００６】
本発明に係る車載端末は、車両に搭載された車載端末であって、ラジオ局の放送と、ラジオ局から放送されている曲を識別するための識別情報とを受信する受信部と、所定の曲を識別するための所定の識別情報を登録する記憶部とを備える。また、車載端末は、受信部で受信した識別情報と、記憶部に登録された所定の識別情報とが一致した場合に、ラジオ局の放送を、車両に搭載された音声出力部に音声出力させる制御部を備える。
【発明の効果】
【０００７】
本発明によれば、受信部で受信した識別情報と、記憶部に登録された所定の識別情報とが一致する場合に、所定の識別情報で識別される所定の曲を放送しているラジオ放送が自動的に音声出力される。したがって、ユーザは、所定の曲を放送しているラジオ放送を音声出力させるための操作をしなくても、所定の曲を聞くことができる。
【図面の簡単な説明】
【０００８】
【図１】実施の形態に係る車載端末の概略を説明するための図である。
【図２】実施の形態に係る車載端末の構成を示すブロック図である。
【図３】実施の形態に係る車載端末の動作を示すフローチャートである。
【図４】実施の形態に係る車載端末に接続された表示装置の表示例を示す図である。
【図５】実施の形態の変形例に係る車載端末の概略を説明するための図である。
【図６】実施の形態の変形例に係る車載端末の概略を説明するための図である。
【発明を実施するための形態】
【０００９】
＜実施の形態＞
図１は、本発明の実施の形態に係る車載端末１の概略を説明するための図である。図１に示されるように、車載端末１は、自動車などの車両２に搭載されている。以下、車載端末１は、ユーザを現在位置から目的地に案内するナビゲーション機能を有しているものとして説明する。
【００１０】
図１に示す車載端末１は、複数のラジオ局３からの放送（ラジオ放送）と、曲情報データとを受信する。曲情報データには、複数のラジオ局３から放送されている曲を識別するための識別情報（ここでは当該曲のアーティスト名及び曲名）と、その曲の再生総時間とが含まれている。
【００１１】
図２は、車載端末１の構成を示すブロック図である。図２に示すように、車載端末１と、車両２に搭載された表示装置６（表示部）及びスピーカー７（音声出力部）とは、ケーブルなどの有線、または、Ｂｌｕｅｔｏｏｔｈ（登録商標）や無線ＬＡＮなどの無線により通信可能に接続されている。また、車載端末１は、入力部１１と、受信部１２と、記憶部１３と、位置取得部１４と、表示データ制御部１５と、音声データ制御部１６と、これらを統括的に制御する制御部１７とを備えて構成されている。
【００１２】
入力部１１は、タッチパネル、押しボタンまたはリモートコントローラなどの入力装置であり、ユーザからの各種操作を受け付ける。
【００１３】
受信部１２は、ラジオチューナなどの受信装置であり、ラジオ局３の放送（電波）と、上述の識別情報を含む曲情報データとを受信する。
【００１４】
記憶部１３は、ＨＤＤ（Hard Disk Drive）などの記憶装置であり、各種情報を記憶している。例えば、記憶部１３には、ユーザが入力部１１から入力した、所定の曲（ここではユーザの好みの曲）を識別するための所定の識別情報（ここでは好みの曲のアーティスト名及び曲名）が記憶部１３に登録されている。以下、所定の識別情報を「登録識別情報」と呼ぶ。
【００１５】
また、記憶部１３には、ユーザが入力部１１から入力した、表示装置６の表示の設定内容（ここでは表示装置６における識別情報の表示の有無、及び、その表示のサイズ）が登録されている。また、記憶部１３には、車載端末１が経路探索などのナビゲーション機能を行うのに必要な地図データなども記憶されている。
【００１６】
位置取得部１４は、ＧＰＳ受信装置などであり、車両２の現在位置（例えば緯度・経度の座標位置）を取得する。
【００１７】
表示データ制御部１５は、制御部１７から入力された表示データを、表示装置６で表示可能なデータ形式に変換し、当該変換した表示データを表示装置６に出力する。表示装置６は、表示データ制御部１５から出力された表示データ、すなわち制御部１７で決定された表示データを表示する。
【００１８】
音声データ制御部１６は、制御部１７から入力された音声データを、スピーカー７で出力可能なデータ形式に変換し、当該変換した音声データをスピーカー７に出力する。スピーカー７は、音声データ制御部１６から出力された音声データ、すなわち制御部１７で決定された音声データを音声出力する。
【００１９】
制御部１７は、入力部１１に入力された目的地と、記憶部１３に記憶されている地図データと、位置取得部１４で取得した車両２の現在位置とに基づいて、現在位置から目的地に到達するための経路を探索する。そして、制御部１７は、当該探索した経路に沿った案内を、表示装置６の表示及びスピーカー７の音声出力を用いて行う。また、制御部１７は、識別情報と登録識別情報とが互いに一致するか否かに基づいて表示装置６及びスピーカー７を制御する。
【００２０】
図３は、本実施の形態に係る車載端末１の処理を示すフローチャートである。次に、図３を用いて、車載端末１の処理について説明する。
【００２１】
まず、ステップＳ１にて、受信部１２は、ラジオ局３などから曲情報データを受信する。
【００２２】
ステップＳ２にて、制御部１７は、受信部１２で受信した曲情報データから、識別情報を抽出する。
【００２３】
ステップＳ３にて、制御部１７は、抽出した識別情報が記憶部１３に登録されているか否かを判定する。具体的には、制御部１７は、ラジオ局３から放送されている曲のアーティスト名及び曲名（受信した識別情報）と、記憶部１３に登録されたアーティスト名及び曲名（登録識別情報）とが一致するか否かを判定する。登録されていないと判定した場合にはステップＳ１に戻り、登録されていると判定した場合にはステップＳ４に進む。
【００２４】
ステップＳ４にて、制御部１７は、記憶部１３に登録されている表示の設定内容を読み取り、識別情報を表示装置６にて自動的に表示するように設定されているかを判定する。表示するように設定されていないと判定した場合にはステップＳ５に進み、表示するように設定されていると判定した場合にはステップＳ６に進む。
【００２５】
ステップＳ５にて、制御部１７は、表示装置６の現状の表示を維持したまま、識別情報で識別される曲（登録識別情報で識別される所定の曲）を放送しているラジオ局３の放送をスピーカー７に音声出力させ、図３に示す処理を終了する。
【００２６】
一方、ステップＳ６にて、制御部１７は、受信部１２で受信した識別情報（ラジオ局３から放送されている曲のアーティスト名及び曲名）及び再生総時間と、ラジオ局３の局名と、その放送の周波数とを示す画面（以下、「ラジオ画面」と呼ぶ）を、表示の設定内容に含まれるサイズの設定に基づいて表示装置６に表示させる。これとともに、制御部１７は、識別情報で識別される曲（登録識別情報で識別される所定の曲）を放送しているラジオ局３の放送をスピーカー７に音声出力させ、図３に示す処理を終了する。
【００２７】
図４（ａ）〜図４（ｄ）は、表示装置６の表示例を示す図である。図４（ａ）には、ステップＳ６でラジオ画面を表示する前の表示装置６の表示例が示されている。具体的には、表示装置６にはナビゲーション機能実行時の表示が示されており、車両２の位置が二等辺三角形のシンボルで示され、車両２の進行方向が二等辺三角形の頂角部分によって示されている。
【００２８】
ここで、記憶部１３に登録されている表示の設定内容として、ラジオ画面を全画面に表示するように予め設定されていた場合に、ステップＳ６が行われると、制御部１７は、表示装置６の表示を、図４（ａ）に示す表示から図４（ｂ）に示す全画面表示に切り替える。あるいは、表示の設定内容として、ラジオ画面を画面半分に表示するように予め設定されていた場合に、ステップＳ６が行われると、制御部１７は、表示装置６の表示を、図４（ａ）に示す表示から図４（ｃ）に示す並列表示に切り替える。あるいは、表示の設定内容として、識別情報のみを画面に表示するように予め設定されていた場合に、ステップＳ６が行われると、制御部１７は、表示装置６の表示を、図４（ａ）に示す表示から、識別表示の簡易表示（ポップアップ表示など）を加えた図４（ｄ）に示す表示に切り替える。
【００２９】
以上のような本実施の形態に係る車載端末１によれば、受信部１２で受信した識別情報と、登録識別情報とが一致する場合に、登録識別情報で識別される所定の曲（ユーザの好みの曲）を放送しているラジオ局３の放送が自動的に音声出力される。したがって、ユーザは、所定の曲（ユーザの好みの曲）を放送しているラジオ放送を音声出力させるための操作をしなくても、所定の曲（ユーザの好みの曲）を聞くことができることから、ユーザの運転に対する注意が損なわれるのを抑制することができる。また、ラジオ放送から所定の曲（ユーザの好みの曲）を可能な限り聞くことができる。
【００３０】
また、本実施の形態によれば、受信部１２で受信した識別情報と、登録識別情報とが一致する場合に、表示の設定内容に応じて識別情報を表示可能にする。したがって、ユーザは、所定の曲（ユーザの好みの曲）が音声出力されている際に、所定の曲の識別情報（アーティスト名及び曲名）を思い出すことができる。
【００３１】
また、本実施の形態によれば、表示の設定内容には、表示装置６における識別情報の表示の有無、及び、その表示のサイズが含まれる。したがって、識別情報の表示について自由度を高めることができるので、ユーザの好みに沿った表示を実現することができる。特に、図４（ｃ）及び図４（ｄ）に示したような表示によれば、ユーザは、表示装置６のもともとの表示内容に加えて、識別情報も視認することができる。
【００３２】
なお、受信部１２は、ラジオ局３の放送予定を示す番組情報、例えば、ＥＰＧ（Electronic Program Guide）などの情報をさらに受信するものであってもよい。そして、この構成において、受信部１２で受信した識別情報と、登録識別情報とが一致する場合に、制御部１７が、受信部１２で受信した識別情報及び番組情報の少なくともいずれか１つの情報を、表示の設定内容に応じて、表示装置６に表示させてもよい。ただし、表示の設定内容には、表示装置６における識別情報及び番組情報のそれぞれについての表示の有無、及び、その表示のサイズを含むようにしておく。このような構成によれば、ユーザは、例えば、好みのアーティストの特集番組などの放送終了時間を知ることができるので、利便性のよい車載端末を実現することができる。
【００３３】
また、以上の構成では、識別情報は、ラジオ局３で放送されている曲のアーティスト名及び曲名を含むものとし、登録識別情報は、所定の曲（ユーザの好みの曲）のアーティスト名及び曲名を含むものとして説明した。しかしこれに限ったものではなく、識別情報は、ラジオ局３で放送されている曲のアーティスト名及び曲名の少なくともいずれか１つを含むものとし、登録識別情報は、所定の曲（ユーザの好みの曲）のアーティスト名及び曲名の少なくともいずれか１つを含むものとしてもよい。例えば、識別情報及び登録識別情報のいずれも、曲名を含まずにアーティスト名を含むように構成した場合には、ユーザは、好みのアーティストの曲であればどの曲でも聞くことができる。
【００３４】
また、以上の構成では、車載端末１はナビゲーション機能を有するものとして説明した。しかしこれに限ったものではなく、車載端末１は、ナビゲーション機能を有する（例えば位置取得部１４などを備える）代わりに、ナビゲーション機能を有するスマートフォンや携帯電話などの携帯端末と通信する通信機能を有するように構成されてもよい。そして、携帯端末で探索された経路などを、表示装置６で表示したり、スピーカー７で音声出力したりしてもよい。
【００３５】
また、以上では、車載端末１の外部に、表示装置６及びスピーカー７が設けられた構成について説明した。しかしこれに限ったものではなく、車載端末１の内部に、表示装置６及びスピーカー７設けられた構成であってもよい。すなわち、車載端末１が表示装置６及びスピーカー７を備える構成であってもよい。
【００３６】
＜変形例＞
上述した実施の形態に係る車載端末１は、受信部１２で受信した識別情報と、登録識別情報とが一致する場合に、車載端末１が、ラジオ局３の放送を音声出力可能にするものであった。これに対して、本変形例に係る車載端末１は、この動作に加えて、ラジオ局３の放送を記憶部１３に記憶するものとなっている。
【００３７】
具体的には、制御部１７は、受信部１２で受信した識別情報と、登録識別情報とが一致する場合に、識別情報で識別される曲（登録識別情報で識別される所定の曲）を放送しているラジオ局３の放送を記憶部１３に記憶する。すなわち、図３に示したステップＳ５及びＳ６にて、制御部１７は、ラジオ局３から放送されている所定の曲を記憶部１３に記憶する。この際、所定の曲のデータを圧縮した上で記憶部１３に記憶してもよい。
【００３８】
以上のような本変形例に係る車載端末１によれば、所定の曲（ユーザの好みの曲）を記憶部１３に記憶することから、当該記憶後に、ユーザの操作などに応じて所定の曲をスピーカー７にて音声出力することができる。なお、記憶部１３に記憶しようとする曲が、記憶部１３にすでに記憶されている場合には、記憶部１３の記憶容量を確保する観点から、その曲を記憶部１３に記憶しないようにすることが好ましい。
【００３９】
また、本変形例において、図５に示すように、曲情報データには、上述の識別情報及び再生総時間に加えて、ラジオ局３から放送されている曲の所定部分（例えば当該曲のサビ部分やイントロ部分、以下「サビ部分等」と呼ぶ）を特定する部分情報が含まれてもよい。図５には、部分情報の一例として、ラジオ局３から放送されている曲のサビ開始時間及びサビ終了時間が示されている。
【００４０】
図５に示した構成によれば、受信部１２は、部分情報をさらに含む曲情報データを受信するので、制御部１７は、ラジオ局３から放送されている曲を記憶部１３に記憶する場合に、当該曲のうち、受信部１２で受信した部分情報で特定されるサビ部分等も個別に記憶部１３に記憶してもよい。そして、制御部１７は、スピーカー７が記憶部１３に記憶された曲のサビ部分等を音声出力している間に、入力部１１にて当該曲に対する決定操作（所定操作）を受け付けた場合には、当該決定操作が行われた曲を記憶部１３から取得し、当該取得した曲をスピーカー７に音声出力させてもよい。
【００４１】
このような構成によれば、ユーザは、サビ部分等の曲の特徴部分を聞きながら、記憶部１３に記憶した曲から、音声出力させたい曲を選択することができる。したがって、ユーザは、ラジオ画面を見ただけではなかなか思い出すことができないぐらい以前に記憶された曲のメロディーを、容易に思い出すことができる。
【００４２】
なお、以上では、受信部１２が、サビ部分等を特定する部分情報を曲情報データから受信する構成について説明した。しかしこれに限ったものではなく、図６に示すように、車載端末１は、曲と部分情報とが対応付けて記憶されたサーバ９に対して、識別情報を送信する送信部（図示せず）をさらに備えてもよい。そして、サーバ９が、車載端末１から送信された識別情報で識別された曲に対応する部分情報を車載端末１に送信し、車載端末１の制御部１７が、受信部１２で受信した部分情報で特定されるサビ部分等を記憶部１３に記憶するようにしてもよい。このような構成であっても、上述と同様の動作及び効果を実現することができる。なお、サーバ９とのデータ通信の際には、車載端末１は、携帯端末やＴＭＣ（Traffic Message Channel）などを介してインターネットと接続してもよいし、車載端末１が直接インターネットと接続してもよい。
【００４３】
なお、本発明は、その発明の範囲内において、実施の形態を適宜、変形、省略することが可能である。
【符号の説明】
【００４４】
１  車載端末、２  車両、３  ラジオ局、６  表示装置、７  スピーカー、１１  入力部、１２  受信部、１３  記憶部、１７  制御部。
【図１】
2014057288.tif 000003
【図２】
2014057288.tif 000004
【図３】
2014057288.tif 000005
【図４】
2014057288.tif 000006
【図５】
2014057288.tif 000007
【図６】
2014057288.tif 000008